(57)【要約】      （修正有）【課題】誰でもどこででも手軽に治療を行うことができ、専門家に頼むと同様の充分な治療効果をあげることができる温熱治療器の提供。【解決手段】熱源となるヒータ２と、トルマリンを所要量混入した球状セラミック材３とを布製芯材４に適宜の間隔で分布配置する。該布製芯材４の上下両面の夫々を、ニッケルコート繊維５とＡＰファイバー６とを重ねて覆う。これらの部材を布製カバー７で覆い包む。【選択図】図１
0003104897.tif 000002
【実用新案登録請求の範囲】
【請求項１】
トルマリンを所要量混入したセラミック材と熱源とを芯材に適宜の間隔で配置し、該芯材の上下両面をシールド材とマイナスイオン増幅材とを重合して覆い、それらの表面をカバーで被覆してなる温熱治療器。
【請求項２】
熱源が電気ヒータであり、該電気ヒータの発熱温度調節手段と給電時間制御手段とを備えてなる請求項１記載の温熱治療器。
【考案の詳細な説明】
【技術分野】
【０００１】
本考案は温熱治療器に関し、更に詳細には、手軽に治療を行うことができ、皮膚及び皮下組織に熱刺激を与えて血行を良くする効果と、マイナスイオンによる作用を利用して自律神経等を正常にする効果と、遠赤外線の透過性を利用して人体内の深部における血行を良くする効果とを有する温熱治療器に関する。
【背景技術】
【０００２】
人体の治療を行う場合には、手術を除くと指圧マッサージ療法、針治療、温灸療法が一般的に行われている。
【考案の開示】
【考案が解決しようとする課題】
【０００３】
しかし、これらの療法は熟練した専門家に頼まなければならず、毎回相当な手数料を払わなければならない。また、治療院等への通院にも時間がかかる。そこで、従来より、持ち運び及び操作が簡単で、廉価な器具の出現が望まれていた。
本考案は上記の点に鑑みなされたものであって、誰でもどこででも手軽に行うことができしかも廉価で済み、そしてその効果として専門家に頼むと同様の充分な治療効果を期待することができる温熱治療器を提供するものである。
【課題を解決するための手段】
【０００４】
上記目的達成のため、本考案の要旨とするところは、トルマリンを所要量混入したセラミック材と熱源とを芯材に適宜の間隔で配置し、該芯材の上下両面をシールド材とマイナスイオン増幅材とを重合して覆い、それらの表面をカバーで被覆してなることにある。【０００５】
また、上記構成において、熱源を電気ヒータとし、そして該電気ヒータの発熱温度調節手段と、給電時間制御手段とを備えるようにしてもよい。
【考案の効果】
【０００６】
本考案は上記の如き構成、作用であるから、どこにでも容易に持ち運ぶことができ、しかも誰でも簡単な操作で手軽にかつ廉価で治療を行うことができる。【０００７】
そして、温灸と同様の、皮膚及び皮下組織に熱刺激を与えて血行を良くする効果と、マイナスイオンによる作用を利用して自律神経、ひいては交感神経、副交感神経を正常にする効果と、更には遠赤外線の透過性を利用して人体の深部に熱刺激を加え、人体内の深部における血行を良くすることができる効果とを得ることができる。【０００８】
また、熱源の発熱温度を調節することができるようにした場合には、患部の状況に応じて熱源とセラミック材の熱の高さを調節することができるため、温灸効果を高めることができる。そしてまた、温度を調節することにより、トルマリンによって発生する遠赤外線を患部の状況に応じた適度な波長に調整することが可能となるのである。さらに、熱源の給電時間を調節することができるようにした場合には、患部の状況に応じて施療時間を調節することが可能となる。
【考案を実施するための最良の形態】
【０００９】
本考案に係る温熱治療器を実施するための最良の形態は、トルマリンを所要量混入したセラミック材と熱源とを芯材に適宜の間隔で配置し、該芯材の上下両面をシールド材とマイナスイオン増幅材とを重合して覆い、それらの表面をカバーで被覆してなり、さらに上記熱源が電気ヒータであり、該電気ヒータの発熱温度調節手段と給電時間制御手段とを備えてなるものである。
【実施例】
【００１０】
以下、本考案の実施例について図面を参照しつつ説明する。
図１は治療器本体部の一部切欠斜視図、図２は本考案における治療器本体部の一部省略した中央縦断面図、図３は電源部の斜視図である。【００１１】
図中、１は治療器本体部である。この治療器本体部１は、後記熱源２、トルマリンを所要量混入した球状セラミック材３、布製の芯材４、ニッケルコート繊維５並びにＡＰファイバー（（株）アダン鉱山中央研究所製）６とをもって構成するものである。【００１２】
上記熱源２は、本実施例ではニクロム線式の電気ヒータを用いている。この電気ヒータ２と、粉末状のトルマリン約２０％重量を混入した球状セラミック材３とを適宜の間隔で、帯状の芯材４の内部に分布配置している。さらに芯材４の内部には発熱温度調節手段としてのサーモスタット８を配置してなる。
本実施例では、セラミック材３を球状としたがこの形状または個数などは実施例に限定されない。また芯材４の長さ、材質、あるいは熱源２の種類、あるいはセラミック材３、熱源２、サーモスタット８の配置間隔などは実施例に限定されず適宜選択できる。【００１３】
５，５は電磁波のシールド材としてのニッケルコート繊維、６，６はマイナスイオン増幅材としてのＡＰファイバーである。
上記ニッケルコート繊維５，５は前記電気ヒータ２及びサーモスタット８から出る電磁波を遮断するためのものであり、通常コンピュータの内部に使用されているものである。このニッケルコート繊維５，５を用いた理由は、一般に電磁波の有害性は２０ｃｍの間隔をあければ安全とされているが、本治療器は人体の患部に密着させるために２０ｃｍの間隔をあけることができない。このためニッケルコート繊維５，５によって電磁波を遮断し、電磁波の有害性が人体に及ぶことを阻止するものである。【００１４】
また、該ＡＰファイバー６，６は、自らもマイナスイオンを発生するが、前記球状セラミック材３に混入したトルマリンによってマイナスイオンが生成されるとき、これのマイナスイオンの生成を活発化させトルマリンの力を強めるためのものである。【００１５】
そしてこれらニッケルコート繊維５，５とＡＰファイバー６，６は、前記芯材４を、その上下両面から重ねた状態で覆っている。尚、これらを重ね合わせるとき、本実施例ではニッケルコート繊維５，５を内側にしているが、これを逆にしてもよい。【００１６】
７は布製のカバーであり、前記の部材の全体を覆って包み込んでいる。なお、該カバー７に、図示はしないが固定用の紐や面ファスナー等を取り付けてもよい。２０は前記電気ヒータ２に接続し、該電気ヒータ２に電源からの電力を供給するための電線である。また、該電線２０の端部には後記電源部のコンセントに差し込むプラグ９を備えている。【００１７】
電源部１０は前記電気ヒータ２に電力を供給するものであり、筐体１１、電源用スイッチ１２等からなる。１３は前記電気ヒータ２の発熱温度調節つまみである。また、筐体１１内に設けられた発熱温度調節手段としては、上記のサーモスタット８を用いて電気ヒータの作動を間欠的に行うようにしたものや、電圧を制御して温度調節を行うもの等を選択すればよい。【００１８】
１４は前記電気ヒータ２への給電時間制御つまみである。また、筐体１１内に設けられた図示しない給電時間制御手段は、従来公知のタイマー機構を用いればよい。１５は前記電線８のプラグ９を差し込むコンセントである。【００１９】
次に、上記実施例の作用について説明する。
先ず、治療器本体部１を人体の治療すべき患部に当てる。そして電源部１０のスイッチ１２を入れる。これにより治療器本体部１の電気ヒータ２が作動し、加熱を開始する。該電気ヒータ２が加熱するとトルマリンを混入した球状セラミック材３も加熱される。そしてこれら電気ヒータ２と球状セラミック材３の熱により、従来の温灸と同様に皮膚及び皮下組織に熱刺激を与えて血行が良くなる。【００２０】
また、トルマリンは加熱されるとマイナスイオンを生成することは良く知られており、そして球状セラミック材３に混入したトルマリンによってマイナスイオンが生成されるときＡＰファイバー６によって生成が一層活発化される。【００２１】
人間が自らの病気を治す力、即ち自然治癒力を高めるためには自律神経を正常にすることが必要であるが、マイナスイオンはこの自律神経を正常にする作用があり、更にこれによって交感神経、副交感神経も正常にすることができる。
そして、前記の如く球状セラミックに混入したトルマリンとＡＰファイバー６によって大量に生成されたマイナスイオンは、患部にそそがれ、自律神経、ひいては交感神経、副交感神経を正常にすべく作用する。【００２２】
更にまた、トルマリンは別の特性として加熱されると特定の波長分布の遠赤外線を発生し、そしてこの遠赤外線は皮膚表面で反射せず、人体の深部まで浸透するのである。【００２３】
本実施例では前記の如く電気ヒータ２によって球状セラミック材３が加熱され、そしてこれに混入したトルマリンも加熱されるから、これによって特定の波長分布の遠赤外線を発生する。そしてこの遠赤外線は患部における深部に熱刺激を加えて血行を良くし、もって痛みを和らげたり疲労を回復する等の効果をあげることができる。【００２４】
また、本実施例にあっては熱源として電気ヒータ２を用い、そしてこれの発熱温度を適宜に調節することができるようにしているから、患部の状況に応じて電気ヒータ２と球状セラミック材３の温度を調整することが可能となるのである。したがって、効率良く温灸効果を高めることができる。そしてまた、このように温度を調節することにより、トルマリンによって発生する遠赤外線を患部の状況に応じた適度な波長に調整することが可能となるのである。【００２５】
また、熱源として電気ヒータ２を用い、そしてこれの給電時間を調節することができるため、患部の状況に応じて施療時間を調節することが可能となる。
【図面の簡単な説明】
【００２６】
【図１】本考案における治療器本体部の一部切欠斜視図である。
【図２】本考案における治療器本体部の一部省略した中央縦断面図である。
【図３】電源部の斜視図である。
【符号の説明】
【００２７】
１  治療器本体部
２  熱源（電気ヒータ）
３  セラミック材
４  芯材
５  シールド材（ニッケルコート繊維）
６  マイナスイオン増幅材（ ＡＰファイバー）
７  カバー
８  発熱温度調節手段（サーモスタット）
２０  電線
【図１】
0003104897.tif 000003
【図２】
0003104897.tif 000004
【図３】
0003104897.tif 000005